(57)【要約】  【課題】この考案は、一度使用した紙袋を、漏れの発生がなく且つ内容積の変化を与えることなく簡単に複数回使用できるようにした複数回使用可能な紙袋を提供する。【解決手段】この発明の複数回使用可能な紙袋では、底部閉鎖部４に、この底部閉鎖部４を再封緘する再封緘手段１０を設けるようにしたものである。【選択図】図３
0003121206.tif 000002
【実用新案登録請求の範囲】
【請求項１】
一端部が最初に口部となる筒状体の他端部を閉鎖して底部閉鎖部とし、前記最初に口部となる一端部から内容物を充填した後に前記一端部を封緘するようにした紙袋において、
前記底部閉鎖部が、前記他端部を少なくとも１回以上折り曲げ、この折曲げ部を開封テープ付きの当て紙で包囲固定して形成され、開封時には前記当て紙を前記開封テープを用いて引き破って前記底部閉鎖部を開き、２度目以降の使用時にはこの開封した前記底部閉鎖部から内容物を充填した後に、この他端部を再封緘する再封緘手段が当該他端部に設けられていることを特徴とする複数回使用可能な紙袋。
【請求項２】
前記再封緘手段が、前記他端部を構成する前記筒状体の壁部に、ほぼ全幅に亘り貼り付けられた帯体からなることを特徴とする請求項１に記載の複数回使用可能な紙袋。
【請求項３】
前記帯体の両側から突出する帯体端部を前記筒状体の前記壁部に折り重ねて仮固着し、前記他端部を前記帯体と共に少なくとも１回以上折り曲げ、この折曲げ部を前記開封テープ付きの当て紙で包囲固定して形成し、前記紙袋の２度目以降の使用時には、開封した前記底部閉鎖部から内容物を充填した後に前記折り重ね仮固着された帯体端部を開放して前帯体端部を引き伸ばし、さらにこの筒状体の開封端部を１回若しくはそれ以上折り曲げて前記帯体の端部同士を縛ることでこの折曲げ部を絞って閉鎖することを特徴とする請求項２に記載の複数回使用可能な紙袋。
【請求項４】
前記筒状体がひだ付で２層に形成されていることを特徴とする請求項１〜３のいずれかに記載の複数回使用可能な紙袋。
【請求項５】
前記筒状体の両端部が直線切り又は階段切りで形成されていることを特徴とする請求項１〜４のいずれかに記載の複数回使用可能な紙袋。
【請求項６】
前記帯体は締結用バンドであることを特徴とする請求項３〜４に記載の複数回使用可能な紙袋。
【請求項７】
前記帯体は布バンドであることを特徴とする請求項３〜４に記載の複数回使用可能な紙袋。
【考案の詳細な説明】
【技術分野】
【０００１】
この考案は複数回使用可能な紙袋に関し、更に詳しくは一度使用した後に再度使用する時、内容物の充填口を簡単に且つ厳重に封緘できるようにした複数回使用可能な紙袋に関する。 
【背景技術】
【０００２】
従来、飼料、セメント、穀物、肥料或いは樹脂ペレット等（以下、「内容物」と称する）を入れて輸送するために使用されるクラフト紙からなる紙袋は、両端が直線切り、あるいは階段切り等の各種の切り口で形成されたひだ付き、あるいはひだ無しの筒状体を主たる構成要素とし、紙袋の口部となる筒状体の一端部を樹脂系のホットメルト接着剤、あるいは当て紙等を使用して封緘し、また筒状体の他端部を定法に従って封緘することにより底部閉鎖部として構成されているものが一般的であった。
【０００３】
上述したような従来の紙袋には、内容物を充填して口部を封緘し、これを輸送や保管等に用いた後に内容物を取り出す時、当該紙袋の開封を容易にするために種々の工夫をしたものも知られている。その一例としては前述した底部閉鎖部に独特の工夫がなされたものがある。
【０００４】
具体的には、底部閉鎖部の構造が、筒状体の他端部を複数回巻き込むように折り曲げ、この折曲げ部を跨ぐようにその全幅に亘る長さの開封テープ付き当て紙で包囲し、この当て紙の両端部をそれぞれ筒状体の各壁面に接着剤で接着して形成したものである。
【０００５】
このような紙袋によると、内容物を充填した後の開封の際には、この紙袋を倒立させ、内容物充填口であった一端部を下にすることにより底部閉鎖部を上にし、当て紙の内面に接着されている開封テープを端から引き上げて当て紙を引き破り、内部から筒状体の折曲げ部である他端部を引き出し、これを折り戻して開封口とするものである。
【考案の開示】
【考案が解決しようとする課題】
【０００６】
近年、資源の節約化の観点から製品の繰り返し使用が求められており、この種の紙袋についても例外ではなくなってきている。しかしながら、従来の紙袋の構成では、少なくとも一部を再加工しなければ繰り返して使用することはできない。
【０００７】
すなわち、従来の紙袋では、内容物が充填された後には口部を当該口部に塗布されたホットメルト接着剤を再活性させた後に折り曲げて筒状体の壁面に強固に接着しているため、この封緘口部を開けるには刃物で切り開くしかなく、もしそのようにして開封すれば、簡単に再封緘することはほとんど困難である。
【０００８】
また、前述した開封容易な紙袋の場合には、底部閉鎖部が端部を数回折り曲げ（巻き込み）、この折曲げ部を当て紙で包囲固定しているため、当て紙を引き破って巻き込んだ端部を元に戻して開封した後にこの開封部分を簡単に再封緘することも困難である。
【０００９】
その理由について簡単に説明すると、家庭で使用する簡易な紙袋等を複数回使用する場合、ほとんどの場合内容物の漏れや容積の縮小などを心配する必要がなく、従って一度使用した紙袋でも開封口を再封緘できるように鋏などを用いて再びフラップを形成する等の加工を簡単に行った上で、再び内容物を入れた後に当該フラップに糊を付けて封緘することができる。
【００１０】
しかし、飼料、セメント、穀物、肥料或いは樹脂ペレット等を入れて輸送や保管等の業務用の使用に供する紙袋を複数回使用する場合には、漏れなどの発生を生じないように厳重に再封緘する必要があると共に容積も縮小してはならない。そのためには、内容物充填現場で作業員が紙袋の開封口を再加工したりすることはできず、また糊の塗布も精密に行わなければ漏れの発生原因となる。
【００１１】
従って、この種の紙袋を複数回使用できるようにするには、予め製袋工場で周到な準備、即ち複数回使用ができるような設計がなされていないと無理なのである。
【００１２】
しかし、従来の紙袋では、本来的に複数回使用するという思想がないためにそのような構成にはなっておらず、そのためほとんどの場合、焼却処分とされていた。
【００１３】
この考案の目的は、かかる従来の問題点を解決するためになされたもので、一度使用した紙袋を、漏れの発生がなく且つ内容積の変化を与えることなく簡単に複数回使用できるようにした複数回使用可能な紙袋を提供することにある。 
【課題を解決するための手段】
【００１４】
この考案の複数回使用可能な紙袋は、一端部が最初に口部となる筒状体の他端部を閉鎖して底部閉鎖部とし、前記最初に口部となる一端部から内容物を充填した後に前記一端部を封緘するようにした紙袋において、前記底部閉鎖部が、前記他端部を少なくとも１回以上折り曲げ、この折曲げ部を開封テープ付きの当て紙で包囲固定して形成され、開封時には前記当て紙を前記開封テープを用いて引き破って前記底部閉鎖部を開き、２度目以降の使用時にはこの開封した前記底部閉鎖部から内容物を充填した後に、この他端部を再封緘する再封緘手段が当該他端部に設けられていることを特徴とする。
【００１５】
また、この考案の複数回使用可能な紙袋では、前記再封緘手段が、前記他端部を構成する前記筒状体の壁部に、ほぼ全幅に亘り貼り付けられた帯体からなることを特徴とする。
【００１６】
また、この考案の複数回使用可能な紙袋では、前記帯体の両側から突出する帯体端部を前記筒状体の前記壁部に折り重ねて仮固着し、前記他端部を前記帯体と共に少なくとも１回以上折り曲げ、この折曲げ部を前記開封テープ付きの当て紙で包囲固定して形成し、前記紙袋の２度目以降の使用時には、開封した前記底部閉鎖部から内容物を充填した後に前記折り重ね仮固着された帯体端部を開放して前帯体端部を引き伸ばし、さらにこの筒状体の開封端部を１回若しくはそれ以上折り曲げて前記帯体の端部同士を縛ることでこの折曲げ部を絞って閉鎖することを特徴とする。
【００１７】
また、この考案の複数回使用可能な紙袋では、前記筒状体がひだ付で２層に形成されていることが好ましい。
【００１８】
また、この考案の複数回使用可能な紙袋では、前記筒状体の両端部が直線切り又は階段切りで形成されていることが好ましい。
【００１９】
また、この考案の複数回使用可能な紙袋では、前記帯体は締結用バンドであることが好ましい。
【００２０】
また、この考案の複数回使用可能な紙袋では、前記帯体は布バンドであることが好ましい。
【考案の効果】
【００２１】
以上説明したように、この考案における複数回使用可能な紙袋によれば、一度使用した紙袋を、漏れの発生がなく且つ内容積の変化を与えることなく簡単に複数回使用することができ、極めて経済的な紙袋を提供することができる。 
【考案の実施の形態】
【００２２】
以下、この考案の複数回使用可能な紙袋を図に示される実施形態について更に詳細に説明する。
【００２３】
図１はこの考案の一実施形態に係る複数回使用可能な紙袋１（以下、単に「紙袋」と称する）の平面図であり、図２は図１に示される紙袋１をＡ−Ａ線に沿って切断した時の構造を模式的に示す断面図である。
【００２４】
また、図３はこの実施形態に係る紙袋１の基本構成要素である２層のひだ付き筒状体２を偏平状態で示す平面図である。
【００２５】
このひだ付筒状体２は、主にクラフト紙から形成され、両端部が直線切りで形成され、両端部の切り口はまったく対称に形成されている。すなわち、ひだ付き筒状体２における両端の切り口構造はほぼ同一である。
【００２６】
このような２層のひだ付き筒状体２は、既によく知られているのでその詳細な説明は省略する。
【００２７】
この実施形態に係る紙袋１は、前述した２層のひだ付き筒状体２を基本構成要素として、図１に示すように、その一端部Ｂをこの紙袋１の初回使用時における口部３とし、他端部Ｃを閉塞して底部閉鎖部４として構成されている。
【００２８】
この紙袋１の口部３は、二本の一点鎖線で示す折曲げ予定線５，６に沿って二度折り曲げられ、その後、筒状体２の背面に貼着された当て紙７により封緘される構造である。
【００２９】
この二本の折曲げ予定線５，６により下方の領域には、筒状体２の幅方向に沿って、ホットメルト系の接着剤により塗布された接着層８が形成され、この接着層８には、口部３の封緘時に前記当て紙７の先端に塗布されたホットメルト系の接着剤からなる接着層９が貼着する構造である。
【００３０】
次に、この実施形態に係る紙袋１における底部閉鎖部４の構成について説明する。
【００３１】
図３から明らかなように、ひだ付き筒状体２の他端部Ｃには、この他端部Ｃを再封緘する再封緘手段１０が配設されている。この再封緘手段１０は、ひだ付き筒状体２の他端部Ｃに形成された一対の切り込み１１，１２により一回折り曲げられたフラップ１３に貼着された帯体１４により構成されている。
【００３２】
なお、この実施例では、帯体１４の中央部１４ａはフラップ１３の背面と筒状体２の表面２ａとの間に接着剤により強固に固着されている。
【００３３】
なお、この実施例の帯体１４は、紙を針金状に形成した複数の紙製線材を平坦面上に並べて糊で相互に接着して形成した比較的に硬質な材質である紙製の締結バンド１５により形成されている。
【００３４】
この帯体１４である締結バンド１５は、この紙袋１の２度目以降の使用時に口部となるこの端部Ｃを閉鎖するために当該締結バンド１５の両端部１５ａを縛ってこの端部Ｃを絞るものであり、従って図３に示されるように使用時にはひだ付き筒状体２の両側から両端部１５ａが適宜の長さ突出するようにする。
【００３５】
しかしながら、この帯状体１４の使用時には図３に示されるように筒状体２の両側から両端部１５ａを適宜の長さ突出するようにするが、それ以外の場合は返って邪魔となリ、場合によっては帯状体１４そのものが損傷を受ける虞があるので、使用時以外は図４に示すように突出する締結バンド１５の両端部１５ａを折り重ねてフラップ１３の表面に接着剤を介して仮固着させる。
【００３６】
なお、この紙製の締結バンド１５は、従来の紙袋でも口部を閉鎖するのに使用されているもので、それ自体はすでによく知られている。このような紙製の締結バンド１５が配設されたひだ付き筒状体２の他端部Ｃは、先端側から巻き込むように少なくとも２度折り曲げて図２に示すように折曲げ部２０が形成される。
【００３７】
その後、この折曲げ部２０は、これを跨ぐようにその全幅に亘る長さの当て紙２１で包囲され、この当て紙２１の両端部はそれぞれひだ付き筒状体２の各壁面２ａ、２ｂに接着剤２２で接着される。このようにして紙袋１０の底部閉鎖部４は形成される。
【００３８】
この底部閉鎖部４を構成している当て紙２１における両端接着部間の内面には非常に薄い樹脂製の強靭な開封テープ２３がその幅方向に亘って貼り付けられている。
【００３９】
このように底部閉鎖部４は、ひだ付き筒状体２の他端部を２回若しくはそれ以上巻き込むように折り曲げて、この折曲げ部２０を当て紙２１で包囲固定しただけのものであり、折曲げ部２０は接着剤などで接着されてはいない。
【００４０】
従って、開封テープ２３を端部から引き上げて当て紙２１に線状の切れ目を入れて広げ、当て紙２１の内部から折曲げ部２０を元の状態に折り戻しながら引き出せば、その端部Ｃを簡単に開封することができる。
【００４１】
次に、以上のように構成された本実施形態に係る紙袋１の使用方法について説明する。
【００４２】
今、図１に示される状態にある本実施形態に係る紙袋１の一端部である口部３を開いて当該紙袋１の内部に内容物が所定量充填されたとする。
【００４３】
その後、この紙袋１のこの紙袋１の口部３を二本の一点鎖線で示す折曲げ予定線５，６に沿って二度折り曲げ、筒状体２の背面に貼着された当て紙７の接着層９を筒状体２の表面幅方向に沿って形成された接着層８に貼着すると口部３が厳重に封緘される。
【００４４】
このようにして口部３が厳重に封緘された紙袋１は、輸送や保管など所定の目的に用いられる。
【００４５】
次いで、この紙袋１内に充填された内容物を取り出す場合には、既に説明したように底部閉鎖部４を上にして当て紙２１が開封テープ２３を利用して引き破られ、当て紙２１の内部から折曲げ部２０が元の状態に折り戻されて開封口とされ、ここから内容物が取り出される。その後、折り重ねら仮接着された一対の締結バンド１５の両端部１５ａを開放して図３に示されるように筒状体２の両側から両端部１５ａを適宜の長さ突出するようにする。図５には内容物を取り出した後、筒状体２の両側から両端部１５ａを適宜の長さ突出するようにした紙袋１が偏平状態で示されている。
【００４６】
図５に示すように、底部閉鎖部４を開き、その開封口３０から内容物を全部出し切った後、この紙袋１を複数回使用する時には、この開封口３０をそのまま次の内容物を充填する口部として、この開封口３０から内容物を充填する。
【００４７】
従って、図１に示すように、１度目（最初）の使用時に口部３とされ、内容物充填後に、筒状体２の背面に貼着された当て紙７により封緘された口部閉鎖部が、２度目以降の使用ではそのまま底部閉鎖部となる。
【００４８】
図５で示すように、底部閉鎖部４を開いた開封口３０から内容物を充填した後は、再び前述した折曲げ部２０を形成するようにその端部を巻き込むように少なくとも２回以上折り曲げる。その際、最初に底部閉鎖部４を形成した時とは異なり、紙製の締結バンド１５の両端部１５ａは図５に示されるように紙袋１の両側から突出した状態のままとしておく。
【００４９】
次いで、この折曲げ部の両側から突出している紙製の締結バンド１５の両端１５ａを縛りつつ当該折曲げ部の両端同士を強く絞り、最終的には折曲げ部の絞りが緩まないように紙製の締結バンド１５の両端部１５ａをしっかりと縛って固定する。これにより、この紙袋１の２度目以降の使用時の内容物充填口部を厳重に封緘できる。
【００５０】
しかも、この場合、最初の使用時に厳重に封緘された口部閉鎖部をそのまま底部閉鎖部として使用しているため、口部及び底部のいずれの個所からも内容物の漏れを起こす恐れはない。更に、２度目以降の使用時におけるこの紙袋の内容物充填後の荷姿（紙袋の形）は１回目とほとんど同じであり、そのためパレット等に積みやすく、荷崩れの心配もなくトラックなどの通常搬送手段で容易に輸送することができる。
【００５１】
前述した実施形態に係る複数回使用可能な紙袋では、開封した底部閉鎖部４を、２度目以降の使用時に再封緘する手段として、紙製の締結バンド１５をフラップ１３の内側に固定したが、締結バンド１５の取り付け位置は特に限定されるものではなく、図６で示すように筒状体２の表面２ａ等に接着剤等で貼り付けておいてもよく、その位置は実施例に限定されない。
【００５２】
また上記実施例では帯状体１４として紙製の締結バンド１５を適用したが、この発明は上記実施例に限定されることなく、帯状体１４を布バンド、あるいは単なる紐により構成するようにしても良い。
【００５３】
なお、前述した実施形態における複数回使用可能な紙袋１では、２度目以降の使用時に内容物充填口となるひだ付き筒状体２の他端部が直線切りであったが階段切りであってもよい。
【００５４】
なお、この紙袋１を２度目以降に使用する場合には、内容物の充填口となる底部閉鎖部４の開封後に残っている当て紙２１の残片はひだ付き筒状体２の表面２ａ、２ｂを破かないようにその接着部から奇麗に剥がしておくことも好ましい。
【００５５】
更に、この実施形態に係る複数回使用可能な紙袋では、最初に内容物を充填する口部３の封緘手段が、筒状体２の背面に貼着された当て紙７であったが、この
口部封緘手段としては従来のように筒状体２の表面２ａに設けられた例えば両面接着テープからなる粘着剤層であっても良く、要は、口部３のその封緘手段は実施例に限定されることはなく各種の封緘手段を適用しても良いことは言うまでもない。
【００５６】
最後に、この考案に係る複数回使用可能な紙袋の実際的な使用態様を例を挙げて説明すると、例えば落花生の栽培農家が、自家消費用としてこの考案に係る複数回使用可能な紙袋に入った玄米を購入したとする。この農家は、この玄米を別な容器に移すか、若しくは全部消費した後に前述したような手順で開封口から商品としての自家製落花生を充填して出荷することができる。
【００５７】
または、製粉工場が原料の小麦を購入して使用し、空になったこの考案に係る複数回使用の紙袋に製粉した小麦粉を入れて出荷することができ、このような使用態様は大麦粉、そば粉等の場合もまったく同じである。
【産業上の利用可能性】
【００５８】
以上説明したように、この考案は、一度使用した紙袋を、漏れの発生がなく且つ内容積の変化を与えることなく簡単に複数回使用できるようにした複数回使用可能な紙袋に適している。
【図面の簡単な説明】
【００５９】
【図１】図１はこの考案に係る複数回使用可能な紙袋の平面図。
【図２】図２は図１のＡＡ断面図。
【図３】図３は底部閉鎖部を示す複数回使用可能な紙袋の平面図。
【図４】図４は、締結バンドの両端部を折り重ねて接着剤を介して仮固着した状態を示す複数回使用可能な紙袋の平面図。
【図５】図５は、２回目以降に使用する状態を示す複数回使用可能な紙袋の平面図。
【図６】図６は、締結バンドの他の取り付け位置を示す複数回使用可能な紙袋の要部斜視図。
【符号の説明】
【００６０】
１…紙袋
３…口部
４…底部閉鎖部
１０…再封緘手段
１４…帯体
１５…締結用バンド
１５ａ…端部（帯体端部）
２１…当て紙
２３…開封テープ
Ｂ…一端部
Ｃ…他端部
【図１】
0003121206.tif 000003
【図２】
0003121206.tif 000004
【図３】
0003121206.tif 000005
【図４】
0003121206.tif 000006
【図５】
0003121206.tif 000007
【図６】
0003121206.tif 000008